(57)【要約】
【課題】毛染剤が櫛歯に付着することを抑えながら、ブリッスル束で毛染剤を髪に塗り付ける作業と、櫛歯で髪を梳く作業とを容易に行なえる毛染め用ブラシを得る。
【解決手段】下方に柄部２を有するブラシ台１が左右横長に形成されており、ブラシ台１の上端面１ａには、多数のブリッスル束３が左右長手方向にわたって定ピッチで植設されたブリッスル列４と、多数本の櫛歯５が左右長手方向にわたって定ピッチで列設された櫛歯列６とを備えている。ブリッスル列４は、前後に所定間隔を設けて二列に配されており、櫛歯列６は、前後のブリッスル列４・４間の中央に配される。隣接する櫛歯５・５間に、前後のブリッスル列４の各ブリッスル束３がそれぞれ臨んでいる。各櫛歯５の上下高さ寸法は、ブリッスル束３の上下高さ寸法よりも短くなっている。
【選択図】図１
0003101016.tif 000002
【実用新案登録請求の範囲】
【請求項１】
下方に柄部２を有するブラシ台１が左右横長に形成されており、
ブラシ台１の上端面１ａには、多数のブリッスル束３が左右長手方向にわたって定ピッチで植設されたブリッスル列４と、多数本の櫛歯５が左右長手方向にわたって定ピッチで列設された櫛歯列６とを備えており、
ブリッスル列４が、前後に所定間隔を設けて二列に配されており、
櫛歯列６が、前後のブリッスル列４・４間の中央に配されており、
隣接する櫛歯５・５間に、前後のブリッスル列４の各ブリッスル束３がそれぞれ臨んでおり、
各櫛歯５の上下高さ寸法が、ブリッスル束３の上下高さ寸法よりも短くなっていることを特徴とする毛染め用ブラシ。
【請求項２】
プラスチック製のブラシ台１の上端面１ａに、櫛歯５群が一体に成形されている請求項１記載の毛染め用ブラシ。
【請求項３】
左右横長の櫛歯台１０上に多数本の櫛歯５が左右長手方向にわたって定ピッチで列設された櫛歯ユニット１１を有し、
ブラシ台１の上端面１ａに、櫛歯ユニット１１が後付けされている請求項１記載の毛染め用ブラシ。
【考案の詳細な説明】
【技術分野】
【０００１】
本考案は、液状またはクリーム状の毛染剤を用いて髪を染める際に使用する毛染め用ブラシに関する。
【背景技術】
【０００２】
特許文献１には、ブラシ台の上端面に、多数のブリッスル束が左右長手方向にわたって植設されたブリッスル列と、多数本の櫛歯が左右長手方向にわたって列設された櫛歯列とを前後に備えた毛染め用ブラシが開示されている。
【０００３】
かかる毛染め用ブラシでは、ブリッスル束の上端に毛染剤を載せ、ブラシ台の下方の柄部を持ってブラシを前後方向に動かして毛染剤を髪に塗り付けると同時に、櫛歯で髪を梳くことになる。髪の生え際などの細かい箇所でも毛染剤を塗り付け易くするために、ブリッスル列と櫛歯列とが前後に一列ずつ配している。
【０００４】
【特許文献１】特開平８−４７４１４号公報（段落番号００１１、図８−９）
【考案の開示】
【考案が解決しようとする課題】
【０００５】
特許文献１では、ブリッスル列が櫛歯列の前後方向の一方側にしか配されていないため、ブリッスル列が櫛歯列より先に髪に当たるようブラシの前後の向きを調節しなければ、櫛歯列が邪魔になって毛染剤を髪に塗り付け難くなる。このため、頭の左右の髪に毛染剤を髪に塗り付ける際などには、ブラシを持ち替える必要があり、この手間が煩わしいことになる。
【０００６】
しかも櫛歯がブリッスル束の上方に突出しているため、毛染剤を髪に塗り付ける際に毛染剤が櫛歯にこびりついて玉状になり、この玉状の毛染剤が髪に付着して、均一な毛染めが困難になる。
【０００７】
そこで本考案の目的は、毛染剤が櫛歯に付着することを抑えながら、ブリッスル束で毛染剤を髪に塗り付ける作業と、櫛歯で髪を梳く作業とが容易に行なえる毛染め用ブラシを得るにある。
【課題を解決するための手段】
【０００８】
請求項１記載の本考案は、図１および図２に示すごとく、下方に柄部２を有するブラシ台１が左右横長に形成されており、ブラシ台１の上端面１ａには、多数のブリッスル束３が左右長手方向にわたって定ピッチで植設されたブリッスル列４と、多数本の櫛歯５が左右長手方向にわたって定ピッチで列設された櫛歯列６とを備えている。ブリッスル列４は、前後に所定間隔を設けて二列に配されており、櫛歯列６は、前後のブリッスル列４・４間の中央に配されており、隣接する櫛歯５・５間に、前後のブリッスル列４の各ブリッスル束３がそれぞれ臨んでいる。各櫛歯５の上下高さ寸法は、ブリッスル束３の上下高さ寸法よりも短くなっている。
【０００９】
請求項２記載の本考案は、請求項１記載の毛染め用ブラシにおいて、プラスチック製のブラシ台１の上端面１ａに、櫛歯５群が一体に成形されている。
【００１０】
請求項３記載の本考案は、請求項１記載の毛染め用ブラシにおいて、左右横長の櫛歯台１０上に多数本の櫛歯５が左右長手方向にわたって定ピッチで列設された櫛歯ユニット１１を有し、ブラシ台１の上端面１ａに、櫛歯ユニット１１が後付けされている。ここでの櫛歯ユニット１１は、ブラシ台１の上端面１ａに対して固定されていてもよいし、着脱自在になっていてもよい。
【考案の効果】
【００１１】
請求項１記載の本考案では、櫛歯５がブリッスル束３の上方に突出しないので、毛染剤が櫛歯５に付着して玉状になることがない。したがって、毛染剤を髪に均一に塗り付けることができ、むらのない均一な毛染めを容易かつ確実に行なえる。櫛歯列６の前後にブリッスル列４が配されているので、ブラシを前後のいずれの方向に動かしても、ブリッスル束３が髪に先当たりし、ブラシを持ち替えなくても毛染剤を髪に容易に塗り付けることができる。
【００１２】
隣合う櫛歯５・５の間に、前後のブリッスル列４の各ブリッスル束３がそれぞれ臨んでいるので、ブリッスル束３を髪に押し付けながらブラシを前後方向に動かすと、ブリッスル束３が、図４に示すごとく前後方向に倒れ込んで櫛歯列６の櫛歯５・５間にスムーズに入り込む。これによって、櫛歯列６の各櫛歯５の上端側が確実に露出し、櫛歯５で髪を梳くに有利である。
【００１３】
つまり、毛染剤が櫛歯５に付着することを抑えながら、ブラシを前後方向に動かすだけで、ブリッスル束３で毛染剤を髪に塗り付ける作業と、櫛歯５で髪を梳く作業とを同時に行なえる。
【００１４】
請求項２記載の本考案によれば、請求項１記載の効果に加え、ブラシ台１の上端面１ａに櫛歯５群が一体にプラスチック成形されるので、ブラシの部品点数が少なくなり、安価に量産できる。
【００１５】
請求項３記載の本考案によれば、ブラシ台１の上端面１ａに、櫛歯ユニット１１が後付けされるので、各ブリッスル束３の植設の際に各櫛歯５が邪魔にならず、ブラシ台１にブリッスル束３を容易に植設できる。
【考案を実施するための最良の形態】
【００１６】
（第１実施例）  図１ないし図４は本考案に係る毛染め用ブラシの第１実施例を示す。本考案の毛染め用ブラシは、特に生え際の毛染めに適しており、図１および図２に示すごとく、左右横長のブラシ台１と、ブラシ台１の下方に連なる縦長の柄部２とを含む。ブラシ台１と柄部２とは一体にプラスチック成形されている。柄部２の左右幅は、下側ほど細い。
【００１７】
ブラシ台１の上端面１ａには、多数のブリッスル束３が左右長手方向にわたって定ピッチで植設されたブリッスル列４と、多数本の櫛歯５が左右長手方向にわたって定ピッチで列設された櫛歯列６とを備えている。ブリッスル列４は、図２に示すごとく、前後に所定間隔を設けて二列に配してあり、櫛歯列６は、前後のブリッスル列４・４間の中央に配してある。
【００１８】
ブリッスル束３の左右方向の隣接ピッチと、櫛歯５の左右方向の隣接ピッチとは等しく、隣接する櫛歯５・５間に、前後の各ブリッスル列４の各ブリッスル束３がそれぞれ臨んでいる。
【００１９】
各ブリッスル束３は、弾性を有する合成繊維製のブリッスルを複数本束ねて形成してあり、図３に示すごとく、ブラシ台１の上端面１ａに形成した穴７に植設してある。各櫛歯５は、上方に行くに従って細径化する細長い円錐形状になっており、ブラシ台１の上端面１ａに、櫛歯５群が一体に成形されている。各櫛歯５の上端は球面状になっている。各櫛歯５は、髪を梳く際に変形しない程度の剛性を有する。
【００２０】
各櫛歯５の上下高さ寸法は、ブリッスル束３の上下高さ寸法よりも短い。各ブリッスル束３の上下高さ寸法は２５mm、各櫛歯５の上下高さ寸法は１５mmに設定した。
【００２１】
毛染剤を髪に塗り付ける際には、ブリッスル束３に毛染剤を載せたのち、ブリッスル束３を髪に押し付けて動かす。この際、各ブリッスル束３は、図４に示すごとく、前後方向に倒れ込んで櫛歯５・５間に入り込み、各ブリッスル束３間から各櫛歯５の上端が露出する。この櫛歯５によって髪が梳かれ、ブリッスル束３で毛染剤を髪に塗り付ける作業と、櫛歯５で髪を梳く作業とが同時に行なわれる。
【００２２】
（第２実施例）  図５は本考案に係る毛染め用ブラシの第２実施例を示しており、左右横長としたプラスチック製の櫛歯台１０上に多数本の櫛歯５が左右長手方向にわたって定ピッチで列設された櫛歯ユニット１１と、ブラシ台１の上端面１ａに形成された左右横長の嵌合溝１２とを有する。櫛歯台１０は断面台形になっており、これに合わせて嵌合溝１２が断面台形になっている。
【００２３】
ブラシ台１の上端面１ａに全てのブリッスル束３を固定したのち、ブラシ台１の嵌合溝１２に、櫛歯ユニット１１の櫛歯台１０を圧入して固定する。つまり、櫛歯台１０は、ブラシ台１の上端面１ａに後付けされる。この際、櫛歯台１０は接着剤などで嵌合溝１２に固定してもよい。その他の点は、第１実施例と同じであるので、同一部材には同一符号を付して説明を省略する。
【００２４】
（第３実施例）  図６および図７は、第２実施例に変更を加えた第３実施例を示しており、先の櫛歯台１０がブラシ台１の嵌合溝１２に対して左右の横方向から着脱自在にスライド嵌合している。符号１３は、櫛歯台１０と嵌合溝１２との間に介在させる弾性部材であって、合成ゴムなどの高摩擦性を有する。
【００２５】
弾性部材１３は、櫛歯台１０と嵌合溝１２との間の隙間を埋めてブラシ台１上に櫛歯ユニット１１をガタ付きなく固定する一方、ブラシ台１から櫛歯台１０が不用意に抜け落ちるのを規制する。その他の点は、第１実施例と同じであるので、同一部材には同一符号を付して説明を省略する。
【図面の簡単な説明】
【００２６】
【図１】第１実施例の正面図
【図２】第１実施例の平面図
【図３】図１のＡ−Ａ線断面図
【図４】第１実施例の使用状態を示す斜視図
【図５】第２実施例の要部を示す縦断正面図
【図６】第３実施例の斜視図
【図７】第３実施例の要部を示す縦断正面図
【符号の説明】
【００２７】
１  ブラシ台
１ａ  ブラシ台の上端面
２  柄部
３  ブリッスル束
４  ブリッスル列
５  櫛歯
６  櫛歯列
１０  櫛歯台
１１  櫛歯ユニット
１２  嵌合溝
【図１】
0003101016.tif 000003
【図２】
0003101016.tif 000004
【図３】
0003101016.tif 000005
【図４】
0003101016.tif 000006
【図５】
0003101016.tif 000007
【図６】
0003101016.tif 000008
【図７】
0003101016.tif 000009